(57)【要約】【課題】  送信／受信データを軽減した情報通信端末およびそれを利用した通信システムを提供する。【解決手段】  本発明は、利用者が音声合成可能な呼び出し音情報を入力する呼び出し音情報入力手段と、前記呼び出し音情報と送信先情報端末に対する呼び出し先を呼び出す呼び出し信号とを送信する呼び出し信号送信手段と、前記呼び出し信号と、前記呼び出し音情報とを受信する信号受信手段と、前記受信された呼び出し音情報を抽出する呼び出し音情報抽出手段と、前記抽出された呼び出し音情報を用いて呼び出し音を音声合成するテキスト音声合成手段と、前記音声合成された呼び出し音を用いて呼び出しを行う呼び出し手段とを備える情報通信端末である。【選択図】  図１
2005303634.tif 000002
【特許請求の範囲】
【請求項１】
利用者が音声合成可能な呼び出し音情報を入力する呼び出し音情報入力手段と、
前記呼び出し音情報と送信先情報端末に対する呼び出し先を呼び出す呼び出し信号とを送信する呼び出し信号送信手段と、
前記呼び出し信号と、前記呼び出し音情報とを受信する信号受信手段と、
前記受信された呼び出し音情報を抽出する呼び出し音情報抽出手段と、
前記抽出された呼び出し音情報を用いて呼び出し音を音声合成するテキスト音声合成手段と、
前記音声合成された呼び出し音を用いて呼び出しを行う呼び出し手段と
を備える情報通信端末。
【請求項２】
前記呼び出し音情報は、テキスト音声合成に必要な制御記号で構成され、
前記テキスト音声合成手段は、制御信号を用いて呼び出し音を音声合成することを特徴とする請求項１に記載の情報通信端末。
【請求項３】
前記呼び出し音情報は、時刻と時刻に対応する複数の呼び出し音情報とを含み、
前記情報通信端末は、さらに、
受信側が受信情報を獲得した時刻を計測する時刻計測手段と、
時刻と時刻に対応する複数の呼び出し音情報から、計測された時刻に適合する呼び出し音情報を抽出する時刻対応呼び出し音情報抽出手段と、
を備え、
前記テキスト音声合成手段は、計測された時刻に適合する呼び出し音情報を用いて呼び出し音を音声合成することを特徴とする請求項１または２に記載の情報通信端末。
【請求項４】
前記呼び出し音情報は、呼び出し時間と、呼び出し時間に対応する複数の呼び出し音情報とを含み、
前記情報通信端末は、さらに、
呼び出し時間を計測する呼び出し時間計測手段と、
呼び出し時間と、呼び出し時間に対応する複数の呼び出し音情報から、呼び出し時間に対応する呼び出し音を抽出する呼び出し時間対応呼び出し音情報抽出手段と、
を備え、
前記テキスト音声合成手段は、計測された呼び出し時間に対応する呼び出し音情報を用いて呼び出し音を音声合成することを特徴とする請求項１ないし３のいずれかに記載の情報通信端末。
【請求項５】
計測された呼び出し時間に対応する呼び出し音情報を用いて呼び出しを行う間に、
前記呼び出し時間対応呼び出し音情報抽出手段は、次の呼び出し時間に対応する呼び出し音情報を抽出し、
前記テキスト音声合成手段は、抽出された次の呼び出し時間に対応する呼び出し音情報を用いて呼び出し音を音声合成することを特徴とする請求項４に記載の情報通信端末。
【請求項６】
送信元情報と、送信元情報に対応する呼び出し制御許可情報とを有する呼び出し制御許可情報付送信元情報データベースと、
受信した呼び出し信号から、送信元を検索し、前記検索された送信元の情報通信端末が呼び出し制御許可されているか否かを判断する呼び出し制御判断手段とを備え、
呼び出し制御が許可されている送信元の情報通信端末に対しては、受信した呼び出し信号を用いて、呼び出し音を音声合成し、
呼び出し制御が許可されていない送信元の情報通信端末に対しては、呼び出し信号を用いずに、呼び出しを行うことを特徴とする請求項１ないし５のいずれかに記載の情報通信端末。
【請求項７】
前記抽出された呼び出し音情報を変更するかどうかの判断をする呼び出し音情報判断手段と、
前記呼び出し音情報を変更すると判断された呼び出し音情報のうち、韻律、ボリューム、発話速度、または音質の少なくとも１つを制御するテキスト音声合成制御情報生成手段を備え、
前記抽出された呼び出し音情報を変更して呼び出し音を音声合成することを特徴とする請求項１ないし６のいずれかに記載の情報通信端末。
【請求項８】
前記テキスト音声合成制御情報設定手段は、韻律、ボリューム、発話速度、または音質の少なくとも１つについて、受信者に許容されるパラメータの上限値および下限値を有し、
前記抽出された呼び出し音情報のうち、前記許容値から外れるパラメータに対して、許容されるパラメータの上限値または下限値にパラメータを変更して呼び出し音を音声合成する、
あるいは、前記抽出された呼び出し音情報のうち、前記許容値から外れるパラメータが少なくとも１つ存在すれば、受信器側のパラメータを用いて、呼び出し音情報を作成することを特徴とする請求項６または７に記載の情報通信端末。
【請求項９】
コンピュータを、
請求項１ないし８のいずれかに記載の情報通信端末として機能させるためのプログラム。
【請求項１０】
請求項９に記載のプログラムを記録したコンピュータ読み取り可能な記録媒体。
【請求項１１】
請求項１ないし８のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
前記抽出された呼び出し音情報を変更する呼び出し音情報変更手段と、
前記変更された呼び出し音情報と呼び出し信号とを送信先情報通信端末に送信する信号送信手段と
を備えることを特徴とする通信システム。
【請求項１２】
請求項１ないし８のいずれかに記載の情報通信端末と、中継サーバとを備え、前記情報通信端末間に前記中継サーバを介して情報通信を行う通信システムであって、
前記情報通信端末で入力される呼び出し音情報は、カテゴリ情報が付記されたカテゴリ情報付記呼び出し音情報であり、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
カテゴリの内容を記録するカテゴリデータベースと、
前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、
選択された呼び出し音から呼び出し音情報を生成する呼び出し音情報生成手段と、
前記生成された呼び出し音情報と呼び出し信号とを送信先情報通信端末に送信する信号送信手段と
を備えることを特徴とする通信システム。
【請求項１３】
請求項１ないし８のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
利用が禁止される呼び出し音を予め設定した利用禁止呼び出し音データベースと、
呼び出し音情報と前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備えることを特徴とする通信システム。
【請求項１４】
請求項１ないし８のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
情報通信端末ごとに利用が禁止される呼び出し音が設定された、あるいは所定のグループごとに利用が禁止される呼び出し音が設定された、複数の利用禁止呼び出し音データベースと、
呼び出し音情報と、送信先情報通信端末に対応する前記利用禁止呼び出し音データベースあるいは所定のグループに対応する前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備えることを特徴とする通信システム。
【請求項１５】
前記通信システムにおいて、
中継サーバは、さらに
呼び出し音情報が削除されたことを、送信元情報通信端末に送信する削除情報送信手段を有することを特徴とする請求項１３または１４に記載の通信システム。
【請求項１６】
情報端末からの受信された呼び出し音情報を変更して前記変更された呼び出し音情報と呼び出し信号とを送信先情報通信端末に送信するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
前記抽出された呼び出し音情報を変更する呼び出し音情報変更手段と、
前記変更された呼び出し音情報と呼び出し信号とを送信先情報通信端末に送信する信号送信手段と
を備える中継サーバとして機能させるためのプログラム。
【請求項１７】
情報端末からの受信されたカテゴリ情報が含まれる呼び出し音情報から適合するカテゴリを選択して、選択されたカテゴリの中から適切な呼び出し情報を生成し、前期生成された呼び出し音情報と呼び出し信号とを送信先情報通信端末に送信するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
カテゴリの内容を記録するカテゴリデータベースと、
前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、
選択された呼び出し音から呼び出し音情報を生成する呼び出し音情報生成手段と、
前記生成された呼び出し音情報と呼び出し信号とを送信先情報通信端末に送信する信号送信手段と
を備える中継サーバとして機能させるためのプログラム。
【請求項１８】
情報端末からの受信された呼び出し情報中に、利用禁止呼び出し音データベースを参照して利用が禁止される、利用禁止呼び出し音情報が含まれるかどうかを判断し、呼び出し音情報が利用禁止呼び出し音と一致する場合には、呼び出し音情報を削除するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
利用が禁止される呼び出し音を予め設定した利用禁止呼び出し音データベースと、
呼び出し音情報と前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備える中継サーバとして機能させるためのプログラム。
【請求項１９】
情報端末からの受信された呼び出し情報中に、送信先の情報通信端末ごとに利用が禁止される呼び出し音が設定された利用禁止呼び出し音データベースを参照して利用が禁止される利用禁止呼び出し音情報が含まれるかどうかを判断し、呼び出し音情報が利用禁止呼び出し音と一致する場合には、呼び出し音情報を削除するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
情報通信端末ごとに利用が禁止される呼び出し音が設定された、あるいは所定のグループごとに利用が禁止される呼び出し音が設定された、複数の利用禁止呼び出し音データベースと、
呼び出し音情報と、送信先情報通信端末に対応する前記利用禁止呼び出し音データベースあるいは所定のグループに対応する前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備える中継サーバとして機能させるためのプログラム。
【請求項２０】
前記プログラムにおいて、
中継サーバは、さらに
呼び出し音情報が削除されたことを、送信元情報通信端末に送信する削除情報送信手段を有することを特徴とする請求項１７または１８に記載のプログラム。
【請求項２１】
請求項１５ないしの２０いずれかにに記載のプログラムを記録したコンピュータ読み取り可能な記録媒体。
【発明の詳細な説明】
【技術分野】
【０００１】
本発明は、呼び出し信号と呼び出し音情報を送受信して情報通信端末で呼び出し操作を行う情報通信端末、およびこれを利用した通信システムに関する。
【背景技術】
【０００２】
携帯電話などの移動体通信機器の着信時に発せられる着信音は、本体のメモリ（ＲＯＭ）に予め音声データとして記憶された着信音（着信メロディ）が使用される。近年ではインターネットからダウンロードした着信音を使用する、あるいは着信音を作製し、好みの着信音に設定することが一般になっている。
【０００３】
このような着信音を利用して、着信側の利用者が、発信者に対応させて着信音を予め登録しておき、呼び出し信号を受信すると発信者に関する情報を検出し、対応付けて登録されている発信音を再生することが行われている。
【０００４】
しかし、この場合には、着信者が、着信音の音声データを着信側の情報端末に予め登録しておかなければならない。このため、発信者側から好みの着信音を自由に指定することができないという問題がある。また、着信音を着信者が設定するため、着信音からは、急ぎの送信である、あるいは返事が欲しいなどの発信者の意図が判断できないという問題がある。
【０００５】
このような問題を解決するために、例えば、呼び出し信号と呼び出し信号に関連付けられた圧縮化された音声データとを受信し、受信した呼び出し信号に音声データが関連付けられている場合には、着信音データに代えて音声データを再生する情報端末が開発されている（例えば、特許文献１参照）。この情報端末によれば、発信者側から好みの着信音を自由に指定することができるので、発信者の意図を入れた音声データを送信することができる。
【０００６】
また、入力された音声や歌唱音を圧縮符号化した圧縮符号化データや歌唱音を変換した楽音データをメッセージデータとして送信先に転送できる電話端末装置が開発されている（例えば、特許文献２参照）。この電話端末装置によれば、転送されたメッセージデータをリアルタイムで再生すると、メッセージデータを着信音として再生できるので、発信者の意図が判断できる。
【０００７】
【特許文献１】特開２００１−７７９３１号公報（特許請求の範囲）
【特許文献２】特開２００２−２１８０１４号公報（特許請求の範囲）
【発明の開示】
【発明が解決しようとする課題】
【０００８】
しかし、これらの文献に記載の方法では、いずれも以下のような問題がある。
（１）上記の文献では、データを圧縮して送信する。このため、長い文章を着信音とした場合に、送信／受信データが膨大になるという問題がある。
（２）送信データの加工が難しいという問題がある。高い音や低い音など、通常の音声以外の特徴的な音声を生成するためには、送信側で、送信データに特徴的な音声を生成するための処理を行う必要がある。しかし、この処理が煩雑である。また、同様に送信データに発声速度を変化させる処理などを行うことも、難しいという問題がある。
（３）送信側が、公序良俗に反する発声や着信者に不快感を与える発声など、不適切な呼び出し音を、容易に作成できる。一方、着信側では、そのような呼び出し音を除去する方法がない。
【０００９】
すなわち、本発明は、上記問題に鑑みなされたものであり、その目的は、送信／受信データを軽減した情報通信端末およびそれを利用した通信システムを提供することにある。
【００１０】
また、本発明の別の目的は、受信側で加工して利用することが容易な情報を送信する情報通信端末およびそれを利用した通信システムを提供することにある。
【００１１】
また、本発明のさらに別の目的は、不適切な呼び出し音を、容易に除去できる情報通信端末およびそれを利用した通信システムを提供することにある。
【課題を解決するための手段】
【００１２】
上記目的を達成するために、本発明の情報通信端末は、（１）利用者が音声合成可能な呼び出し音情報を入力する呼び出し音情報入力手段と、（２）前記呼び出し音情報と送信先情報端末に対する呼び出し先を呼び出す呼び出し信号とを送信する呼び出し信号送信手段と、（３）前記呼び出し信号と、前記呼び出し音情報とを受信する信号受信手段と、（４）前記受信された呼び出し音情報を抽出する呼び出し音情報抽出手段と、（５）前記抽出された呼び出し音情報を用いて呼び出し音を音声合成するテキスト音声合成手段と、（６）前記音声合成された呼び出し音を用いて呼び出しを行う呼び出し手段とを備える。
【００１３】
この構成によると、送信側は、呼び出し音情報と送信先情報端末に対する呼び出し先を呼び出す呼び出し信号とを送信し、受信側で、呼び出し音情報を抽出して、抽出された呼び出し音情報を音声合成する。すなわち、音声データを送信しないので、送信／受信データを軽減することができる。また、受信側で抽出された呼び出し音情報に基づいて呼び出し音を音声合成する。この結果、受信側で音声合成を行う際に、呼び出し音情報を加工して利用することが容易に行える。
【００１４】
前記呼び出し音情報は、時刻と時刻に対応する複数の呼び出し音情報とを含み、前記情報通信端末は、さらに、（１）受信側が受信情報を獲得した時刻を計測する時刻計測手段と、（２）時刻と時刻に対応する複数の呼び出し音情報から、計測された時刻に適合する呼び出し音情報を抽出する時刻対応呼び出し音情報抽出手段と、を備え、前記テキスト音声合成手段は、計測された時刻に適合する呼び出し音情報を用いて呼び出し音を音声合成することとしてもよい。この構成によれば、受信側が受信した時刻、あるいは情報開示時間が受信側に依存するメールなどのようなものについては、受信側が対象メールを開封した時刻に適合した呼び出し音で、呼び出しを行うことができる。
【００１５】
前記呼び出し音情報は、呼び出し時間と、呼び出し時間に対応する複数の呼び出し音情報とを含み、前記情報通信端末は、さらに、（１）呼び出し時間を計測する呼び出し時間計測手段と、（２）呼び出し時間と、呼び出し時間に対応する複数の呼び出し音情報から、呼び出し時間に対応する呼び出し音を抽出する呼び出し時間対応呼び出し音情報抽出手段と、を備え、前記テキスト音声合成手段は、計測された呼び出し時間に対応する呼び出し音情報を用いて呼び出し音を音声合成することとしてもよい。この構成によれば、複数の呼び出し音情報を用いて、時間の経過により、呼び出し音を変えることができる。また、送信された呼び出し音情報を用いて、受信側で複数の呼び出し音を音声合成するので、送信データを軽減することができる。
【００１６】
この情報通信端末は、計測された呼び出し時間に対応する呼び出し音情報を用いて呼び出しを行う間に、前記呼び出し時間対応呼び出し音情報抽出手段は、次の呼び出し時間に対応する呼び出し音情報を抽出し、前記テキスト音声合成手段は、抽出された次の呼び出し時間に対応する呼び出し音情報を用いて呼び出し音を音声合成することとしてもよい。この構成によると、次の呼び出し音が事前に作成されるので、呼び出し音をスムーズに切り替えることができる。
【００１７】
これらの情報通信端末は、（１）送信元情報と、送信元情報に対応する呼び出し制御許可情報とを有する呼び出し制御許可情報付送信元情報データベースと、（２）受信した呼び出し信号から、送信元を検索し、前記検索された送信元の情報通信端末が呼び出し制御許可されているか否かを判断する呼び出し制御判断手段とを備え、呼び出し制御が許可されている送信元の情報通信端末に対しては、受信した呼び出し信号を用いて、呼び出し音を音声合成し、呼び出し制御が許可されていない送信元の情報通信端末に対しては、呼び出し信号を用いずに、呼び出しを行うことができる。
【００１８】
この構成によると、受信側は、呼出信号を用いて、呼出制御許可がされているかどうかが判断できる。この結果、不適切な呼び出し音を送る可能性がある送信元からの呼び出し音を排除することができる。
【００１９】
これらの情報通信端末は、（１）前記抽出された呼び出し音情報を変更するかどうかの判断をする呼び出し音情報判断手段と、（２）前記呼び出し音情報を変更すると判断された呼び出し音情報のうち、韻律、ボリューム、発話速度、または音質の少なくとも１つを制御するテキスト音声合成制御情報生成手段を備え、前記抽出された呼び出し音情報を変更して呼び出し音を音声合成することができる。
【００２０】
前記テキスト音声合成制御情報設定手段は、韻律、ボリューム、発話速度、または音質について、受信者に許容されるパラメータの上限値および下限値を有し、前記抽出された呼び出し音情報のうち、前記許容値から外れるパラメータに対して、許容されるパラメータの上限値または下限値にパラメータを変更して呼び出し音を音声合成する、あるいは、前記抽出された呼び出し音情報のうち、前記許容値から外れるパラメータが少なくとも１つ存在すれば、受信器側のパラメータを用いて、呼び出し音情報を作成することとしてもよい。この構成によれば、受信者が不快に感じる呼び出し音を訂正することができる。
【００２１】
本発明によれば、コンピュータを、上記情報通信端末として機能させるためのプログラムが提供される。
【００２２】
また、本発明は、前記プログラムを記録したコンピュータ読み取り可能な記録媒体であってもよい。
【００２３】
本発明の通信システムは、上記いずれかの情報通信端末と、中継サーバとを備え、前記情報通信端末間に前記中継サーバを介して情報通信を行う通信システムであって、前記中継サーバは、（１）情報通信端末から送信された呼び出し信号と呼び出し音情報とを受信する呼び出し信号受信手段と、（２）前記受信された呼び出し音情報を抽出する呼び出し音情報抽出手段と、（３）前記抽出された呼び出し音情報を変更する呼び出し音情報変更手段と、前記変更された呼び出し音情報と呼び出し信号とを送信先情報通信端末に送信する信号送信手段とを備えるものである。
【００２４】
この構成によれば、情報通信端末から送信された呼び出し音情報を、中継サーバで抽出して変更する。中継サーバは、情報通信端末より多くのデータを保存することができるので、多様な変更を施した呼び出し音情報を受信側の情報通信端末に送信することができる。
【００２５】
このような通信システムとしては、例えば、前記情報通信端末で入力される呼び出し音情報は、カテゴリ情報が付記されたカテゴリ情報付記呼び出し音情報であり、前記中継サーバは、（１）情報通信端末から送信された呼び出し信号と呼び出し音情報とを受信する呼び出し信号受信手段と、（２）前記受信された呼び出し音情報を抽出する呼び出し音情報抽出手段と、（３）カテゴリの内容を記録するカテゴリデータベースと、（４）前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、（５）選択された呼び出し音から呼び出し音情報を生成する呼び出し音情報生成手段と、（６）前記生成された呼び出し音情報と呼び出し信号とを送信先情報通信端末に送信する信号送信手段とを備えるものであればよい。
【００２６】
この構成によれば、利用者が上位のカテゴリを選択して送信すると、中継サーバは適切な呼び出し情報を選択して、送信先情報通信端末に送信する。この結果、送信先通信端末で、多様な呼び出し音を音声出力することができる。
【００２７】
また、本発明の通信システムは、前記中継サーバが、（１）情報通信端末から送信された呼び出し信号と呼び出し音情報とを受信する呼び出し信号受信手段と、（２）前記受信された呼び出し音情報を抽出する呼び出し音情報抽出手段と、（３）利用が禁止される呼び出し音を予め設定した利用禁止呼び出し音データベースと、（４）呼び出し音情報と前記利用禁止呼び出し音データベースとを比較する呼び出し音比較手段と、（５）前記利用禁止呼び出し音データベースの利用禁止呼び出し音と一致する呼び出し音情報について、呼び出し音情報を削除する呼び出し音情報更新手段と、（６）呼び出し信号を送信先情報通信端末に送信する信号送信手段とを備えるものであってもよい。
【００２８】
この構成によると、送信側が、送信した公序良俗に反する発声や着信者に不快感を与える発声などの不適切な呼び出し音情報を、容易に除去できる。また、送信した公序良俗に反する発声や着信者に不快感を与える発声などの不適切な呼び出し音は、受信側に共通する。本発明では、このような不適切な呼び出し音を中継サーバのデータベースに設定して、不適切な呼び出し音を統一して除去できるので、効率的である
【００２９】
また、本発明の通信システムは、前記情報通信端末が、（１）呼び出し音として利用されたくない利用禁止呼び出し音情報を生成する利用禁止呼び出し音情報生成手段と、（２）前記利用禁止呼び出し音情報を前記中継サーバに送信する利用禁止呼び出し音情報送信手段とを備え、前記中継サーバが、（１）情報通信端末から送信された呼び出し信号と呼び出し音情報とを受信する呼び出し信号受信手段と、（２）前記受信された呼び出し音情報を抽出する呼び出し音情報抽出手段と、（３）情報通信端末ごとに利用が禁止される呼び出し音が設定された、あるいは所定のグループごとに利用が禁止される呼び出し音が設定された、複数の利用禁止呼び出し音データベースと、（４）呼び出し音情報と、送信先情報通信端末に対応する前記利用禁止呼び出し音データベースあるいは所定のグループに対応する前記利用禁止呼び出し音データベースとを比較する呼び出し音比較手段と、（５）前記利用禁止呼び出し音データベースの利用禁止呼び出し音と一致する呼び出し音情報について、呼び出し音情報を削除する呼び出し音情報更新手段と、（６）呼び出し信号を送信先情報通信端末に送信する信号送信手段とを備えることとしてもよい。
【００３０】
この構成によれば、利用者が個々の利用禁止呼び出し音データベースを中継サーバに有することができる。この結果、利用者が個人的に不快感を感ずる呼び出し音を容易に排除できる。また、このデータベースを、情報通信端末ではなく、中継サーバに備える。この結果、情報通信端末の負担を軽減できる。
【００３１】
上記通信システムにおいて、中継サーバは、さらに、呼び出し音情報が削除されたことを、送信元情報通信端末に送信する削除情報送信手段を有することにしてもよい。この構成によれば、送信元は、送信した呼び出し音情報が削除された旨を知ることができる。この結果、呼び出し音情報を変更することができる。
【００３２】
また、本発明によれば、情報端末からの受信された呼び出し音情報を変更して前記変更された呼び出し音情報と呼び出し信号とを送信先情報通信端末に送信するサーバを有する通信システムに適用可能なプログラムであって、コンピュータを、情報通信端末から送信された呼び出し信号と呼び出し音情報とを受信する呼び出し信号受信手段と、前記受信された呼び出し音情報を抽出する呼び出し音情報抽出手段と、前記抽出された呼び出し音情報を変更する呼び出し音情報変更手段と、前記変更された呼び出し音情報と呼び出し信号とを送信先情報通信端末に送信する信号送信手段とを備える中継サーバとして機能させるためのプログラムが提供される。
【００３３】
また、本発明は、情報端末からの受信されたカテゴリ情報が含まれる呼び出し音情報から適合するカテゴリを選択して、選択されたカテゴリの中から適切な呼び出し情報を生成し、前期生成された呼び出し音情報と呼び出し信号とを送信先情報通信端末に送信するサーバを有する通信システムに適用可能なプログラムであって、コンピュータを、情報通信端末から送信された呼び出し信号と呼び出し音情報とを受信する呼び出し信号受信手段と、前記受信された呼び出し音情報を抽出する呼び出し音情報抽出手段と、カテゴリの内容を記録するカテゴリデータベースと、前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、選択された呼び出し音から呼び出し音情報を生成する呼び出し音情報生成手段と、前記生成された呼び出し音情報と呼び出し信号とを送信先情報通信端末に送信する信号送信手段とを備える中継サーバとして機能させるためのプログラムであってもよい。
【００３４】
また、本発明は、情報端末からの受信された呼び出し情報中に、利用禁止呼び出し音データベースを参照して利用が禁止される利用禁止呼出音情報が含まれるかどうかを判断し、呼び出し音情報が利用禁止呼び出し音と一致する場合には、呼び出し音情報を削除して、呼び出し音情報が削除されたことを、送信先情報通信端末に送信するサーバを有する通信システムに適用可能なプログラムであって、コンピュータを、情報通信端末から送信された呼び出し信号と呼び出し音情報とを受信する呼び出し信号受信手段と、前記受信された呼び出し音情報を抽出する呼び出し音情報抽出手段と、利用が禁止される呼び出し音を予め設定した利用禁止呼び出し音データベースと、呼び出し音情報と前記利用禁止呼び出し音データベースとを比較する呼び出し音比較手段と、前記利用禁止呼び出し音データベースの利用禁止呼び出し音と一致する呼び出し音情報について、呼び出し音情報を削除する呼び出し音情報更新手段と、呼び出し信号を送信元情報通信端末に送信する信号送信手段とを備える中継サーバとして機能させるためのプログラムであってもよい。
【００３５】
また、本発明は、情報端末からの受信された呼び出し情報中に、送信先の情報通信端末ごとに、あるいは所定のグループごとに利用が禁止される呼び出し音が設定された利用禁止呼び出し音データベースを参照して利用が禁止される利用禁止呼出音呼び出し音情報が含まれるかどうかを判断し、呼び出し音情報が利用禁止呼び出し音と一致する場合には、呼び出し音情報を削除して、呼び出し音情報が削除されたことを、送信先情報通信端末に送信するサーバを有する通信システムに適用可能なプログラムであって、コンピュータを、情報通信端末から送信された呼び出し信号と呼び出し音情報とを受信する呼び出し信号受信手段と、前記受信された呼び出し音情報を抽出する呼び出し音情報抽出手段と、情報通信端末ごとに利用が禁止される呼び出し音が設定された、あるいは所定のグループごとに利用が禁止される呼び出し音が設定された、複数の利用禁止呼び出し音データベースと、呼び出し音情報と、送信先情報通信端末に対応する前記利用禁止呼び出し音データベースあるいは所定のグループに対応する前記利用禁止呼び出し音データベースとを比較する呼び出し音比較手段と、前記利用禁止呼び出し音データベースの利用禁止呼び出し音と一致する呼び出し音情報について、呼び出し音情報を削除する呼び出し音情報更新手段と、呼び出し信号を送信元情報通信端末に送信する信号送信手段とを備える中継サーバとして機能させるためのプログラムであってもよい。
【００３６】
前記プログラムにおいて、中継サーバは、さらに呼び出し音情報が削除されたことを、送信元情報通信端末に送信する削除情報送信手段を有することとしてもよい。
【００３７】
また、本発明は、上記プログラムを記録したコンピュータ読み取り可能な記録媒体を提供する。
【発明の効果】
【００３８】
本発明の情報通信端末および通信システムでは、音声データそのものではなく、音声合成可能な呼び出し音情報を送信する。この結果、送信されるデータ量を軽減することができる。
【００３９】
本発明の情報通信端末および通信システムでは、テキスト音声を合成するための制御情報を送信データに含めて送信する。受信側の情報通信端末では、この制御信号に基づいてテキスト音声を合成する。この結果、音声データそのものを送信する場合には制御しがたい、高音の音声や発声速度の速い音声など、種々の音声を容易に生成できる。
【００４０】
また、本発明の情報通信端末および通信システムでは、テキスト音声合成により生成される音声の内容自体をテキストの情報として保持する。したがって、生成される音声の内容が不適な発声内容を含んでいるかどうかを容易に判断できる。この結果、不適切な呼び出し音が容易に除去できると共に、その他の処理も容易に行うことができる。
【発明を実施するための最良の形態】
【００４１】
以下に、本発明を実施するための最良の形態を、図面を参照しながら説明する。なお、本発明は、これらによって限定されるものではない。
【００４２】
［実施の形態］
本発明の情報通信端末は、送受信可能な通信端末であり、情報通信端末同士でのみの通信も、中継サーバを介しての通信も可能である。また、中継サーバを介して通信を行う場合に、呼び出し音情報に対して所定の処理を行う場合と呼び出し音情報を単に転送する場合とがある。以下に、本発明の情報通信端末および通信システムについて、情報通信端末同士でのみの通信を行う場合（実施の形態１）と中継サーバを介して通信を行う場合（実施の形態２）とに分けて説明する。
【００４３】
（実施の形態１）
図１は、本発明の情報通信端末の概略構成を示すブロック図である。本発明の情報通信端末は、図１に示すように、ＣＰＵ１１、ＲＯＭ１２、ＲＡＭ１３を具備している。また、液晶パネルバックライト、光学系などからなる表示デバイス１４を具備する。この表示デバイスは、表示制御回路１５により制御・駆動される。スピーカなどの音出力デバイス２０は、音出力制御回路２１により制御・駆動される。これらＣＰＵ１１、ＲＯＭ１２、ＲＡＭ１３、表示制御回路１５、音出力制御回路２１は、バス２２を介して接続されている。
【００４４】
また、ＣＰＵ１１は、Ｉ／Ｏポートを介して、通信デバイス１６と通信制御回路１７、および入力デバイス１８と入力制御回路１９が接続されている。
【００４５】
このような構成の下で、ＣＰＵ１１は、ＲＡＭ１３をワークエリアなどとして利用しながら、ＲＯＭ１２に格納されたプログラムに基づいて、電話サービス、Ｗｅｂブラウザサービス、Ｗｅｂ電子メールサービスなどの各種サービスに対応する各種処理を行う。
【００４６】
次に、本発明の情報通信端末の呼び出し処理について説明する。図２は、本発明の情報通信端末同士での呼び出し音情報および呼び出し信号の処理を概念的に説明した説明図である。図２において、情報端末１（１０１Ａ）と情報端末２（１０３Ａ）とが本発明の情報端末に相当する。情報端末１と情報端末２とは、それぞれ送信元と送信先の原理を示す構成ブロックを示している。情報端末１と情報端末２とは、それぞれが別個の機能を有しているのではなく、実際には同一の情報通信端末内に送信元の機能と送信先の機能とを備えている。このような情報通信端末１０１Ａ、１０３Ａは、通信ネットワーク１０６を介して互いに接続されている。
【００４７】
通信端末１は、送信時には、利用者が音声合成可能な呼び出し音情報を入力する呼び出し音情報入力部１０４と、前記呼び出し音情報と送信先情報端末に対する呼び出し先を呼び出す呼び出し信号とを送信する呼び出し信号送信手段１０５とを用いる。利用者は、入力デバイスを用いて、音声合成可能な呼び出し音情報を入力する。なお、本発明で、呼び出し音情報を入力するとは、利用者が、入力デバイス１８を用いて、必要な呼び出し音を入力する場合と、ＲＡＭ１３内に記憶されている呼び出し音情報の中から、必要とする情報を選択する場合とがある。
【００４８】
図３は、送信元の情報通信端末において入力された呼び出し音情報の内容と、送受信される信号の内容と、受信側情報通信端末において抽出された呼び出し音情報の内容を示す図である。図３(ａ)は、送信元の情報通信端末において入力された呼び出し音情報の内容を、図３(ｂ)は、送受信される信号の内容を、図３（ｃ）は受信側情報通信端末において抽出された呼び出し音情報の内容を示す図である。声合成可能な呼び出し音情報としては、例えば図３(ａ)のように、呼び出し音として用いる「呼び出し内容」を入力する。
【００４９】
声合成可能な呼び出し音情報としては、例えば図３(ａ)のように、呼び出し音として用いる「呼び出し内容」を入力する。呼び出し音情報は、呼び出し音の発声内容と、合成エンジンの制御情報からなる。具体的には、発声内容「ヘンジクダサイ」について、例えば、「ヘンジ／クダサ！イ」のように、発声内容にアクセント位置を示す「！」や、アクセント区切りを示す「／」などを利用して、合成エンジンの制御情報を付加する。この例は、簡単のためにカタカナと記号により表現した。利用できる呼び出し音情報は、一般的にテキスト音声合成エンジンにより合成音を生成する際に利用されるパラメータを表現できるものであれば、特に制限されない。合成音を生成するテキスト音声合成エンジンに応じて適切な情報を付与すればよい。例えば、読み方、アクセントの位置、アクセント強度、アクセント区切り、フレーズの区切りなどが用いられる。
【００５０】
図３（ｂ）に示すように、このようにして作成された呼び出し音情報は、通信端末２を指定する信号である呼び出し信号と共に、送信側の情報通信端末１の呼び出し信号送信部１０５から送信される。前記発信された呼び出し音情報と呼び出し信号とは、通信ネットワーク１０６を介して、受信側の情報通信端末２に出力される。
【００５１】
受信側の情報通信端末２は、信号受信部１２０にて、図３（ｂ）に示す内容の呼び出し信号と呼び出し音情報とを受信する。呼び出し音情報抽出部１２１は、受信した信号の中に含まれる図３（ｃ）に示す内容の呼び出し音情報を抽出する。抽出された呼び出し音情報は、テキスト音声合成部１２２に送られる。テキスト音声合成部１２２では、抽出された呼び出し音情報に基づいて呼び出し音の音声合成を行う。音声合成された呼び出し音は、呼び出し音データベース１２３に、一時保存される。呼び出し部１２４は、一時保存された呼び出し音を用いて呼び出しを行う。
【００５２】
（動作）
以下に本発明の情報通信端末の動作を、図４を参照しながら説明する。図４は、本発明の情報通信端末にかかる呼び出し音情報の流れを説明するフローチャートである。送信側情報通信端末側における処理と受信側情報通信端末側における処理とに分けて説明する。
【００５３】
（送信側情報通信端末）
ステップＳ１００では、利用者が呼び出し音情報を入力するか否かを判断する。呼び出し音情報を入力するか否かの設定は、ＲＡＭ１３内に予め登録されている。この設定を利用して呼び出し音情報を入力するか否かを判断する。
【００５４】
呼び出し音情報を入力する場合は、ステップＳ１０１にて、利用者は、入力デバイス１８を用いて、必要な呼び出し音を入力する。あるいは、ＲＡＭ１３内に記憶されている呼び出し音情報を用いる場合は、呼び出し音情報のリストを表示デバイス１４に表示させて、用いる情報を選択する。呼び出し音に必要とされるパラメータを設定する場合あるいはパラメータを変更する場合には、表示デバイス１４にパラメータの条件が表示される。利用者は表示デバイス１４を確認しながら、入力デバイス１８から設定する条件や変更する条件を入力する。このように入力された呼び出し音情報は、信号として送信される。ステップＳ１０１にて、呼び出し音情報が入力された場合には、ステップＳ１０２に進む。
【００５５】
設定された呼び出し信号は、ステップＳ１０２にて、入力された呼び出し音情報と共に、通信デバイス１６から電波にのせて送信する。呼び出し信号は、利用者が情報通信端末のキーボードなどの入力デバイス１４を操作して、受信側情報通信端末の電話番号や、受信側情報通信端末に対応付けて予め登録された登録番号あるいは短縮番号などを入力することにより行う。
【００５６】
ステップＳ１００で、利用者が呼び出し音情報を入力しないと判断された場合には、ステップＳ１０２に進む。ステップＳ１０２では、呼び出し信号を通信デバイス１６から電波にのせて送信される。この場合には、呼び出し音情報は送信しない。
【００５７】
（受信側情報通信端末）
ステップＳ１０３では、通信デバイス１６にて呼び出し信号を受信する。呼び出し音情報が送信されている場合は、呼び出し音情報も受信する。受信信号は、ＣＰＵ１１に送られる。
【００５８】
ＣＰＵ１１は、ステップＳ１０４にて、受信信号中に呼び出し音情報が含まれているか否かを判断する。
【００５９】
受信信号中に呼び出し音情報が含まれていないと判断された場合は、ステップＳ１０８に進む、ステップＳ１０８では、ＲＡＭ１３内に記憶されている通常の呼び出し音を用いて、着呼を行う。
【００６０】
受信信号中に呼び出し音情報が含まれていると判断された場合には、ステップＳ１０５にてＣＰＵ１１で、呼び出し音情報を抽出する。
【００６１】
ステップＳ１０６では、音声合成エンジンは、抽出された呼び出し音情報を用いて、呼び出し音をテキスト音声合成する。音声合成された呼び出し音は、ステップＳ１０７にて、呼び出し音として音出力デバイス２０から出力される。
【００６２】
（呼び出し音情報）
本発明の情報通信端末では、信号化して送信する呼び出し音情報およびその利用態様に特徴を有する。呼び出し音は、（Ａ）送信側の情報通信端末で設定された呼び出し音情報をそのまま受信側の情報通信端末で音声合成する場合と、（Ｂ）送信側の情報通信端末で設定された呼び出し音情報を受信側の情報通信端末で制限または変更して音声合成する場合とがある。以下にそれぞれの場合における呼び出し音情報について説明する。
【００６３】
（Ａ）送信側の情報通信端末で設定された呼び出し音情報をそのまま受信側の情報通信端末で音声合成する場合
本発明の情報利用端末を用いれば、音声合成可能なパラメータを送信するので、受信側の情報利用端末の呼び出し音を制御することができる。また、音声合成可能なパラメータに、呼び出し音を変更する条件を付加することができる。これにより、条件に応じた呼び出し音による呼び出しを可能にする。以下にこれらの実施態様を説明する。
【００６４】
（Ａ−１）呼び出し音情報に音声合成制御記号を用いる場合
ここでは、本発明の情報通信端末において音声合成制御記号を用いた呼び出し音情報およびその呼び出し信号の処理を説明する。この処理は、図２における処理において音声合成制御記号を用いた呼び出し音情報を用いたものである。図５は、音声合成制御記号を用いた呼び出し音信号の一例を示す図である。呼び出し音情報は、呼び出し音情報の内容のみを音声合成の制御信号で表している。図５に示すように、呼び出し音情報は、発話内容と、発話内容を音声合成するために必要なパラメータと、各パラメータの標準からのずれを百分率で表現したものとで、表されている。送信側の情報通信端末から発話内容「サマザマナオンセイ」、各パラメータおよび各パラメータの標準からのずれ「平均ピッチ：２００％、発話速度：８０％、ボリューム：２００％、アクセント強さ（イントネーションの強さ：１５０％）」で送信された呼び出し音情報は、受信側の情報通信端末の呼び出し音抽出部で、抽出される。テキスト音声合成部では、この呼び出し音情報の制御情報に基づいて、図６に示す内容で呼び出し音を生成する。生成された呼び出し音は、呼び出し音ＤＢに一時保存される。呼び出し部は、一時保存されている呼び出し音を用いて、呼び出しを行う。
【００６５】
呼び出し音のパラメータとしては、上記４個のパラメータに制限されず、音声合成に関わるどのようなパラメータであってもよい。あるいは、表１に示すような予めデータセットを作成しておいて、送信時にパラメータを変更して送信することとしてもよい。受信側の情報通信端末は、変更後のパラメータに基づいて合成音声を生成する。
【表１】
2005303634.tif 000003
【００６６】
受信側のテキスト音声合成部は、「お姉さん」に対応付けられた各パラメータ値で、音声合成を行う。この結果、「お姉さん」に対応付けられた制御情報を用いて呼び出し音を生成することができる。このようなデータセットは、よく使用する呼び出し音で、語調を変えて呼び出しを行うものについて、予め作成しておけばよい。
【００６７】
なお、各パラメータの標準は、音声合成エンジンに存在するパラメータ設定ダイアログの標準値である。この実施態様のようにパラメータを設定せずに、発話内容のみを送信すると、この標準値を用いて呼び出し音が音声合成される。
【００６８】
（Ａ−２）呼び出し音情報に時刻対応呼出音情報を用いる場合
図６は、本発明の情報通信端末において時刻に対応する呼出音情報と、その処理を概念的に説明した図である。この実施の形態における呼び出し音情報は、図７に示すような時刻と時刻に対応する複数の呼び出し音の音声合成用パラメータを含んでいる。送信側の情報通信端末は、時刻と時刻に対応する複数の呼び出し音の音声合成用パラメータを呼び出し音情報として送信する。受信側の情報通信端末は、時刻と時刻に対応する複数の呼び出し音の音声合成用パラメータを呼び出し音情報抽出部１２１で抽出する。抽出された呼び出し音情報は、時刻対応呼び出し音情報抽出部２２０に送られる。時刻対応呼び出し音情報抽出部２２０は、受信側が受信情報を獲得した時刻を計測する時刻計測部２２１を有している。時刻計測部２２１は、電話などリアルタイムで相手に通信・呼び出しが行われるものに関しては、受信時、メールなどのように情報開示時間が受信側に依存するものに関しては、対象メール開封時刻を計測する。時刻計測部２２１で計測された時刻は、時刻対応呼び出し音情報抽出部２２０に送られる。時刻対応呼び出し音情報抽出部２２０は、計測された時刻に対応する呼び出し音情報を抽出する。図６の例で言うと、時刻計測部２２１が、受信時あるいは情報開示時として、「７：００」を計測した場合には、時刻対応呼び出し音情報抽出部２２０は、図７に示す複数の音声合成用パラメータの中から「時刻：０時〜１２時、発声内容：オハヨウ」を抽出する。テキスト音声合成部１２２は、抽出された呼び出し音情報に基づいて、呼び出し音を生成する。生成された呼び出し音は、呼び出し音ＤＢ１２３に一時保存される。呼び出し部１２４は、一時保存されている呼び出し音を用いて、呼び出しを行う。
【００６９】
このように、時刻に対応する呼び出し音情報を用いることにより、電話などリアルタイムで相手に通信・呼び出しが行われるものに加え、メールなどのように情報開示時間が受信側に依存するものについても、着信時の呼び出し音を制御できる。なお、メールなどのように情報開示時間が受信側に依存するものについても、受信時に対応した呼び出し音を用いてリアルタイムに呼び出しを行ってもよい。このような呼び出しを行うと、受信者側にメールの着信についての注意喚起を行うことができる。
【００７０】
（Ａ−３）呼び出し音情報に呼び出し時間対応呼出音情報を用いる場合
図８は、本発明の情報通信端末において呼び出し時間に対応する呼出音情報と、その処理を概念的に説明した説明図である。図９に示すように、この実施の形態における呼び出し音情報は、呼び出し時間と呼び出し時間に対応する複数の呼び出し音の音声合成用パラメータとを含んでいる。この態様によると、電話などリアルタイムでの呼び出しが必要なものについては、呼び出し時間の経過に伴って、呼び出し音を変更することができる。
【００７１】
送信側の情報通信端末は、呼び出し時間と呼び出し時間に対応する複数の呼び出し音の音声合成用パラメータを呼び出し音情報として送信する。受信側の情報通信端末は、呼び出し時間と呼び出し時間に対応する複数の呼び出し音の音声合成用パラメータからなる呼び出し音情報を受信する。受信側の情報通信端末は、図９に示す時間と時間に対応する複数の呼び出し音の音声合成用パラメータを呼び出し音情報抽出部１２１で、抽出する。
【００７２】
この実施形態では、情報通信端末は、呼び出し時間を計測する呼び出し時間計測手段３２１と、呼び出し時間と、呼び出し時間に対応する複数の呼び出し音情報から、呼び出し時間に対応する呼び出し音を抽出する時間対応呼び出し音情報抽出手段３２０と、を備える。抽出された時間対応呼び出し音情報は、時間対応呼び出し音情報抽出部３２０に送られる。時間対応呼び出し音情報抽出部３２０は、まず、最初の呼び出し音（発声内容：モシモシ）のパラメータを抽出する。テキスト音声合成部１２２は、抽出された呼び出し音情報に基づいて、呼び出し音を生成する。生成された呼び出し音は、呼び出し音ＤＢ１２３に一時保存される。呼び出し部１２４は、一時保存されている呼び出し音を用いて、呼び出しを行う。
【００７３】
呼び出し部１２４で、呼び出しが行われると、呼び出し時間計測部３２１は、呼び出し部１２４での呼び出しの時間を測定する。呼び出し部１２４で、音声合成された呼び出しが行われている間に、時間対応呼び出し抽出部３２０は、次の呼び出し時間に対応する呼び出し音情報を抽出し、テキスト音声合成部１２２にて、抽出された呼び出し音情報に基づいて呼び出し音が生成される。生成された呼び出し音は、呼び出し音ＤＢ１２３に記憶される。すなわち、呼び出し時間が０秒〜１０秒で、最初の呼び出し音で呼び出しをしている間に、次の呼び出し時間：１０秒〜２０秒に用いる呼び出し音を生成する。このように、一の呼び出し音による呼び出し時間内に次の呼び出し音を生成しておくことで、呼び出し音の切り替わる時間における呼び出し音の抽出から音声合成の処理の負担が軽減される。さらに、呼び出し音の切り替えがスムーズに行われるので、利用者が感ずる違和感を軽減できる。
【００７４】
この図の例では、図９に示すように、呼び出し時間：０秒〜１０秒の発声内容は「モシモシ」、呼び出し時間：１０秒〜２０秒の発声内容は「コンニチワ」、呼び出し時間：２１秒以上の発声内容は「オーイ」であり、呼び出し時間が２５秒であるので、呼び出し時間：２１秒以上の発声内容である「オーイ」が抽出され、呼び出しが行われている。この実施の形態によると、呼び出し時間に対応して呼び出し音を変えることができる。これを利用すると、受信側の利用者に受諾を急がせる演出など、呼び出し時間の経過に伴って様々な演出をすることができる。
【００７５】
（Ａ−４）その他の利用態様
上記の例では、呼び出し音の選択条件として「受信情報を獲得した時刻」と「呼び出し時間」との例を示した。呼び出し音の選択条件としては、これらのものに限定されず、条件として記述でき、その条件として表現できるものであれば、選択条件として利用できる。例えば温度、明るさ、地域などが挙げられる。
【００７６】
（Ｂ）送信側の情報通信端末で設定された呼び出し音情報を受信側の情報通信端末で制限または変更して音声合成する場合
上記（Ａ）の場合は、送信側が受信側の情報通信端末の呼び出し音を制御するものである。しかし、送信されてくる呼び出し音情報の中には、広告メールや間違い電話など受信側に不必要な情報の着信がある。このような場合にも、送信元の呼び出し音情報に基づいて合成された音声により呼び出しが行われると、受信側の利用者にとっては、煩わしい。また、受信側に必要な情報の着信であっても、用いられる呼び出し音によっては、受信側の利用者が不快に感ずることがある。そこで、以下の例では、受信側の情報通信端末において、送信された呼び出し音情報を制限する方法と送信された呼び出し音情報を変更する方法を用いて、送信された呼び出し音情報を受信側から制御する例を説明する。
【００７７】
（Ｂ−１）送信された呼び出し音情報を制限する方法
図１０は、本発明の情報通信端末において呼び出し制御許可情報を用いた呼び出し音情報の制御処理を概念的に説明した説明図である。この図の例では、受信側の情報通信端末は、（１）送信元情報と、送信元情報に対応する呼び出し制御許可情報とを有する呼び出し制御許可情報付送信元情報データベース４２１と、（２）受信した呼び出し信号から、送信元を検索し、前記検索された送信元の情報通信端末が呼び出し制御許可されているか否かを判断する呼び出し制御判断部４２０とを備える。
【００７８】
呼び出し制御判断部４２０は、受信された呼び出し信号から、送信元の情報通信端末を特定する。具体的には、送信元の電話番号やＩＰアドレスなどにより、送信元の情報通信端末を特定する。一方、呼び出し制御許可情報付き送信元情報データベース４２１には、送信元情報と、送信元情報に対応する呼び出し制御許可情報とが保持されている。呼び出し制御判断部４２０では、上記特定された送信元の情報通信端末と、呼び出し制御許可情報付き送信元情報データベース４２１に保持されている制御許可情報とをマッチングする。具体的には、特定された送信元の情報通信端末が制御許可情報にリストされている情報通信端末であるか否かを調査し、制御許可情報にリストされている情報通信端末であれば、呼び出し制御許可がされているかどうかを調査する。なお、データベースは、呼び出し制御の可否専用のデータベースであってもよいが、情報通信端末内に記憶されているアドレス情報や電話番号情報などの送信元情報を確定できる通常のデータベースに制御許可情報を付記すると、実用上便利である。制御許可情報は、利用者が、過去に受信した情報から、送信元ごとに呼び出し制御の許可／不許可を入力する。
【００７９】
図１０の例では、送信元の情報通信端末は、「情報通信端末１」であり、呼び出し制御許可情報付きアドレス情報データベース４２１では、情報通信端末１はリストに挙げられ、呼び出し制御は「可」である。呼び出し制御判断部４２０は、情報通信端末１が呼び出し制御を許可されていると判断し、情報通信端末１からの呼び出し音情報を呼び出し音情報抽出部１２１に送る。この呼び出し音情報に基づいて呼び出し音が音声合成され、呼び出しが行われる。
【００８０】
一方、送信元の情報通信端末が、「情報通信端末３」であれば、図１０の例では、呼び出し制御は「不可」である。この場合には、呼び出し制御判断部４２０は、情報通信端末３が呼び出し制御を許可されていないと判断し、呼び出し部１１９に通常の呼び出しを行うことを指示する。
【００８１】
以上説明したように、この実施態様では、受信信号から、送信元情報と呼び出し制御の許可／不許可を判断することで、特定の送信元から送信された呼び出し音情報を制限できる。なお、呼び出し制御の許可情報に結果に関わらず、呼び出し許可を制限せず、全ての呼び出し音情報を許可してもよい。一方、全ての呼び出し音情報を不許可にしてもよい。
【００８２】
（Ｂ−２）送信された呼び出し音情報を変更する方法
（Ｂ−１）では、呼び出し制御の許可情報を用いて、呼び出し制御が許可されていない送信先からの呼び出し音情報を用いない構成とした。しかし、呼び出し制御が許可されている送信先からの呼び出し音情報に基づいた呼び出し音であっても、受信者が不快に感ずる場合がある。また、受信者が不快に感じない呼び出し音であっても、受信者の好みで呼び出し音を変更したいと望む場合もある。これらの場合に、以下に説明するように、受信側の情報通信端末で、送信先からの呼び出し音情報を変更すれば、受信者が感ずる不快さを軽減できる。
【００８３】
図１１は本発明の情報通信端末において、送信された呼び出し音情報の変更処理を概念的に説明した説明図である。この図の例では、受信側の情報通信端末は、（１）抽出された呼び出し音情報を変更するかどうかの判断をする呼び出し音情報判断部５２０と、（２）呼び出し音情報を変更すると判断された呼び出し音情報のうち、韻律、ボリューム、発話速度、または音質の少なくとも１つを制御するテキスト音声合成制御情報生成部５２１を備える。
【００８４】
呼び出し音情報判断部５２０は、呼び出し音情報抽出部１２１で、抽出された呼び出し音情報を変更するかどうかの判断をする。具体的には、図１２（ａ）に示す制御記号付き呼び出し記号からテキスト合成される呼び出し音が利用者に不快な感じを与えるか、あるいは受信者の好みの呼び出し音かを判断する。呼び出し音情報判断部５２０で、抽出された呼び出し音情報を変更すると判断された場合は、音声合成制御情報生成部で、発話内容を音声合成するために必要なパラメータを変更する。なお、この場合に、発話内容は変更しない。具体的には、図１２（ｂ）のようにパラメータを変更する。テキスト音声合成部１２２は、変更された呼び出し音情報に基づいて、呼び出し音を生成する。生成された呼び出し音は、呼び出し音ＤＢ１２３に一時保存される。呼び出し部１２４は、一時保存されている呼び出し音を用いて、呼び出しを行う。
【００８５】
受信者が不快に感ずる音は、通常発話速度が速い／遅い、平均ピッチの高低などに起因する。したがって、発話内容を音声合成するために必要なパラメータを変更することで、受信者の感ずる不快を軽減できる。また、受信者の好みの発話速度や平均ピッチなどがある。この場合に、パラメータが設定された呼び出し音情報であっても、受信者の好みに合ったパラメータに変更することができる。
【００８６】
特に、前記テキスト音声合成制御情報設定手段は、韻律、ボリューム、発話速度、または音質について、受信者に許容されるパラメータの上限値および下限値を予め設定しておくと好ましい。許容されるパラメータの上限値または下限値を超えると、自動的にパラメータを変更することができる。この場合に、前記抽出された呼び出し音情報のうち、前記許容値から外れるパラメータに対して、許容されるパラメータの上限値または下限値にパラメータを変更して呼び出し音を音声合成することができる。あるいは、前記抽出された呼び出し音情報のうち、前記許容値から外れるパラメータが少なくとも１つ存在すれば、受信器側のパラメータを用いて、呼び出し音情報を作成することとしてもよい。なお、受信者に許容されるパラメータの上限値および下限値は、受信者が適宜設定できる。
【００８７】
呼び出し音情報判断部で、抽出された呼び出し音情報を変更する場合には、スイッチなどハードウェアによる切り替えを行ってもよく、またはソフトウェアによる切り替えを行ってもよい。また、音声合成制御情報生成部は、例えば音声合成エンジンに存在するパラメータ設定ダイアログを用いてもよい。
【００８８】
（実施の形態２）
図１３は、本発明の通信システムの呼び出し音情報および呼び出し信号の処理を概念的に説明した説明図である。本発明の通信システムは、情報通信端末と中継サーバを含んでいる。情報端末１と情報端末２と中継サーバとは、それぞれ送信元と送信先の呼び出し信号の処理、および中継サーバの呼び出し信号の処理を示す構成ブロックを示している。情報通信端末１は通信ネットワーク１０６を介して、中継サーバ１０２Ａに接続されている。中継サーバ１０２Ａは通信ネットワーク１１３４を介して、情報通信端末２に接続されている。情報通信端末は、上記実施の形態１で用いた情報通信端末である。
【００８９】
情報通信端末１からは、上記と図２の場合と同様に、通信端末２を指定する信号である呼び出し信号と共に、呼び出し音情報が送信される。前記発信された呼び出し音情報と呼び出し信号とは、通信ネットワーク１０６を介して、中継サーバ１０２Ａに出力される。
【００９０】
中継サーバ１０２Ａは、信号受信部１３０にて、呼び出し信号と呼び出し音情報とを受信する。呼び出し音情報抽出部１３１は、受信した信号の中に含まれる呼び出し音情報を抽出する。抽出された呼び出し音情報は、呼び出し音情報変更部１３２にて、必要な変更を行う。呼び出し信号送信部１３３は、呼び出し信号と変更された呼び出し音情報とを、通信ネットワーク１３４を介して、受信側の通信端末２に出力する。中継サーバ１０２Ａは、常に、呼び出し音情報を変更する、あるいは呼び出し音情報に一定の制限をかけるものではない。中継サーバは、ただ単にデータを転送する場合もある。また、中継サーバは、以下に述べる処理以外に、種々の処理を行ってもよい。
【００９１】
受信側の通信端末２は、信号受信部１２０にて、呼び出し信号と変更された呼び出し音情報とを受信する。呼び出し音情報抽出部１２１は、受信した信号の中に含まれる変更された呼び出し音情報を抽出する。抽出された呼び出し音情報は、テキスト音声合成部１２２に送られる。テキスト音声合成部１２２では、抽出された呼び出し音情報に基づいて呼び出し音の音声合成を行う。音声合成された呼び出し音は、呼び出し音データベース１２３に、一時保存される。呼び出し部１２４は、一時保存された呼び出し音を用いて呼び出しを行う。
【００９２】
次に、本発明の通信システムで用いられる中継サーバについて説明する。図１４は、本発明の通信システムで用いられる中継サーバの概略構成を示すブロック図である。中継サーバは、ＣＰＵ２３、ＲＯＭ２４、ＲＡＭ２５、ハードディスク２６、通信Ｉ／Ｆ部２７を具備し、これらデバイスは、バス２８により接続されている。ＲＯＭ２４には、ブートプログラムなどが格納され、ハードディスク２６には、システムプログラム（ＯＳ）、各種のアプリケーションプログラムが格納されている。
【００９３】
ＣＰＵ２３は、ＲＯＭ２４上のブートプログラムに基づいてハードディスク上のシステムプログラムをＲＡＭ２５に展開し、必要に応じてハードディスク上のアプリケーションプログラムをＲＡＭ２５上に展開して実行することにより、呼び出し音情報を制限または変更する処理を行う。また、上記処理を行う場合に必要なデータベースは、ＲＡＭ２５内またはハードディスク２６内に設けられている。
【００９４】
（動作）
以下に本発明の通信システムにおける呼び出し音情報の流れを、図１５を参照しながら説明する。図１５は、本発明の情報通信端末にかかる呼び出し音情報の流れを説明するフローチャートである。
【００９５】
（送信側情報通信端末）
ステップＳ１００〜ステップＳ１０２は、上記図４における情報通信端末のステップＳ１００〜ステップＳ１０２と同様である。
【００９６】
（中継サーバ）
ステップＳ２０１では、通信Ｉ／Ｆ部２７にて呼び出し信号を受信する。呼び出し音情報が送信されている場合は、呼び出し音情報も受信する。受信信号は、ＣＰＵ２３に送られる。
【００９７】
ＣＰＵ２３は、ステップＳ２０２にて、受信信号中に呼び出し音情報が含まれているか否かを判断する。
【００９８】
受信信号中に呼び出し音情報が含まれていないと判断された場合は、ステップＳ２０６に進む、ステップＳ２０６では、通信Ｉ／Ｆ部２７にて呼び出し信号を送信する。
【００９９】
受信信号中に呼び出し音情報が含まれていると判断された場合には、ステップＳ２０３にてＣＰＵ２３で、呼び出し音情報を抽出する。ＣＰＵ２３は、ステップＳ２０４にて、呼び出し音情報に、変更または制限をすべき情報が含まれているかどうかを判断する。呼び出し音情報に、変更または制限をすべき情報が含まれていないと判断された場合には、ステップＳ２０６に進む、ステップＳ２０６では、通信Ｉ／Ｆ部２７にて呼び出し信号と情報通信端末から送信された呼び出し音情報とを、情報通信端末に送信する。
【０１００】
ステップＳ２０４にて、呼び出し音情報に、変更または制限をすべき情報が含まれていると判断された場合には、ステップＳ２０５で、ＣＰＵ２３は呼び出し音情報を変更・制限する。変更された呼び出し音情報または呼び出し音情報が制限された場合には、制限部分を空にした呼び出し音情報は、通信Ｉ／Ｆ部２７にて送信される。
【０１０１】
（受信側情報通信端末）
受信された呼び出し信号と、変更または制限された呼び出し音情報は、ステップＳ１０３〜ステップＳ１０８にて、上記図４における情報通信端末２のステップＳ１０３〜ステップＳ１０８と同様に処理をされ、呼び出し音が出力される。
【０１０２】
（呼び出し音情報の変更・制限）
本発明の通信システムでは、送信側の情報通信端末で設定された呼び出し音情報を、中継サーバを用いて、変更する、あるいは制限することに特徴を有する。以下に、中継サーバの役割を中心に本発明の通信システムを説明する。
【０１０３】
（Ｃ−１）カテゴリ情報付記呼び出し音情報を用いる場合
図１６は、本発明の通信システムにおいてカテゴリ情報付記呼び出し音情報を用いた呼び出し音情報の変更およびその呼び出し信号の処理を概念的に説明した説明図である。
【０１０４】
（送信側情報通信端末）
送信側の情報通信端末の呼び出し音情報入力部では、カテゴリ情報を付記して呼び出し音情報を入力する。具体的には、呼び出し音情報入力部１０４に、「カテゴリ情報」と「呼び出し音」とを入力する。例えば、カテゴリ情報は「アイサツ」であり、呼び出し音情報は「スズキデス」を入力する。カテゴリ情報は、そのカテゴリの中に含まれる複数の呼び出し音を総括する情報である。図１６のカテゴリデータベース６２１に示すように、カテゴリ「アイサツ」には、呼び出し時刻とそれに対応する挨拶が含まれる。
【０１０５】
（中継サーバ）
中継サーバは、（１）情報通信端末から送信された呼び出し信号と呼び出し音情報とを受信する呼び出し信号受信部１３０と、（２）前記受信された呼び出し音情報を抽出する呼び出し音情報抽出部１３１と、（３）前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択部６２０と、（４）カテゴリの内容を記録するカテゴリデータベース６２１と、（５）選択された呼び出し音から呼び出し音情報を生成する呼び出し音情報生成部６２２と、（６）前記生成された呼び出し音情報と呼び出し信号とを送信先情報通信端末に送信する信号送信部１３３とを備える。
【０１０６】
呼び出し信号受信部情報通信端末から送信された呼び出し信号とカテゴリ情報付記呼び出し音情報は、呼び出し信号受信部１３０にて受信される。呼び出し音情報抽出部１３１では、呼び出し音情報を抽出する。抽出された呼び出し音情報にカテゴリ情報が付記されている場合には、カテゴリ対応呼び出し音選択部６２０は、カテゴリデータベース６２１を用いて、そのカテゴリ情報に適合するカテゴリの中から、適切な呼び出し音を選択する。例えば、カテゴリ情報が「アイサツ」の場合で、現在の時刻が「１１：００」の場合には、「コンニチワ」を選択する。
【０１０７】
呼び出し音情報生成部６２２では、カテゴリ情報から選択された「コンニチワ」と送信側の情報通信端末から入力された呼び出し音情報「スズキデス」とから、変更された呼び出し音情報「コンニチワスズキデス」を生成する。信号送信部１３３は、呼び出し信号と、この変更された呼び出し音情報を情報通信端末に送信する。
【０１０８】
（受信側情報通信端末）
呼び出し信号と、この変更された呼び出し音情報を受信した情報通信端末は、変更された呼び出し音情報に基づいてテキスト音声合成を行い、合成された呼び出し音で呼び出しを行う。
【０１０９】
（カテゴリデータベース）
カテゴリ情報としては、カテゴリの中に含まれる複数の呼び出し音が含まれるものであれば、特に制限されない。図１６の例では、カテゴリデータベース６２１に、カテゴリ「アイサツ」以外に「ランダム」「テンキ」・・・が含まれている。このようなカテゴリデータベースは情報通信端末内に設けることもできる。しかし、カテゴリ情報をサービスとして用いる場合に、それぞれの端末に対してカテゴリデータベースを更新することは難しい。したがって、本実施の形態のように、カテゴリデータベースを中継サーバに設けるほうが、制御が容易であるので、好ましい。
【０１１０】
また、カテゴリ情報を含んだ定型文を予め作成しておき、これを呼び出し音情報として利用することもできる。この構成によると、同一の呼び出し音情報を入力しても、毎回異なった呼び出し音が生成されるので、着信側の状況に適した呼び出し音での呼び出しが可能となる。
【０１１１】
（Ｃ−２）送信された呼び出し音情報を一括して制限する場合
悪戯や広告などの不必要な呼び出し音情報、公序良俗に反する呼び出し音などは、受信者に共通する不要な呼び出し音である。本実施の形態では、このような利用を禁止したい呼び出し音情報を通信システムで一括して制限するものである。このために、本実施の形態では、中継サーバに利用禁止データベースを設ける。利用禁止データベースは情報通信端末内に設けることもできる。しかし、共通する不要な呼び出し音の排除をサービスとして用いる場合に、それぞれの端末に対してカテゴリデータベースを更新することは難しい。したがって、本実施の形態のように、利用禁止呼び出し音データベースを中継サーバに設けるほうが、制御が容易であるので、好ましい。
【０１１２】
図１７は、本発明の情報通信端末において利用禁止呼び出し音データベースを用いて、呼び出し音情報を一括して制限する呼び出し音情報の制御処理を概念的に説明した説明図である。この図の例では、中継サーバは、（１）情報通信端末から送信された呼び出し信号と呼び出し音情報とを受信する呼び出し信号受信部１３０と、（２）前記受信された呼び出し音情報を抽出する呼び出し音情報抽出部１３１と、（３）利用が禁止される呼び出し音を予め設定した利用禁止呼び出し音データベース７２１と、（４）呼び出し音情報と前記利用禁止呼び出し音データベースとを比較する呼び出し音比較部７２０と、（５）前記利用禁止呼び出し音データベースの利用禁止呼び出し音と一致する呼び出し音情報について、呼び出し音情報を削除する呼び出し音情報更新部７２２と、（６）呼び出し音情報が削除されたことを、送信側情報通信端末に送信する削除情報送信部７２３と、（７）呼び出し信号を送信元情報通信端末に送信する信号送信部１３３とを備える。
【０１１３】
呼び出し信号受信部情報通信端末から送信された呼び出し信号と呼び出し音情報は、呼び出し信号受信部１３０にて受信される。呼び出し音情報は、例えば「利用禁止呼び出し音１」であるとする。呼び出し音情報抽出部１３１では、呼び出し音情報を抽出する。抽出された呼び出し音情報は、呼び出し音比較部７２０にて、利用禁止呼び出し音データベース７２１中の利用禁止呼び出し音とをマッチングする。
【０１１４】
抽出された呼び出し音情報が、利用禁止呼び出し音と一致する場合には、呼び出し音情報更新手段７２２にて、抽出された呼び出し音情報は削除される。また、抽出された呼び出し音情報の一部が利用禁止呼び出し音と一致する場合には、その一部が削除される。例えば、呼び出し音情報が「利用禁止呼び出し音１」であるので、呼び出し音情報は利用禁止呼び出し音データベース７２１中の「利用禁止呼び出し音１」と一致することになる。したがって、呼び出し音情報更新手段７２２にて、呼び出し音情報「利用禁止呼び出し音１」は削除される。
【０１１５】
削除情報送信部７２３は、情報通信端末から送信された呼び出し音情報の全部または一部が削除された旨を送信元の情報通信端末に送信する。一方、信号送信部１３３は、呼び出し音情報の全部が削除された場合には、呼び出し音情報を空にして、呼び出し信号を送信先情報通信端末に送信する。この場合には、通常の呼び出し音を用いて呼び出しが行われる。また、信号送信部１３３は、呼び出し音情報の一部が削除された場合には、残りの呼び出し音情報を、呼び出し信号と共に、送信先情報通信端末に送信する。この場合には、削除された部分以外の呼び出し音情報を用いて、呼び出し音が作成され、呼び出しが行われる。
【０１１６】
（Ｃ−３）送信された呼び出し音情報を送信先情報通信端末ごとに制限する場合
悪戯や広告などの不必要な呼び出し音情報、公序良俗に反する呼び出し音などは、受信者に共通する不要な呼び出し音である。一方、情報通信端末の利用者には、個別に不快な呼び出し音が存在する。本実施の形態では、このような利用を禁止したい呼び出し音情報を通信システムで個別に制限するものである。このために、本実施の形態では、送信先の情報通信端末ごとに、あるいは所定のグループごとに利用が禁止される呼び出し音が設定された複数の利用禁止データベースを中継サーバに設ける。すなわち、本実施の形態は、図１７において、単一の利用禁止呼び出し音データベース７２１が、複数個存在することを除けば、図１７と同様である。このような利用禁止データベースは情報通信端末内に設けることもできる。しかし、このようなデータベースを個々の情報通信端末に設けると、データベースの保存のための保存容量が必要となるので、中継サーバに設けるのが好ましい。また、グループ間で、利用禁止データベースを共有する場合、それぞれの端末に対してカテゴリデータベースを更新することは難しい。
【０１１７】
本発明の情報通信端末において利用禁止呼び出し音データベースを用いて、呼び出し音情報を個別に制限する処理は、中継サーバが複数の利用禁止呼び出し音データベースを有することと、個別の利用禁止呼び出し音データベースを用いて、利用禁止用語の削除を行う点以外は、上記（Ｃ−２）の場合と同様に行われる。
【０１１８】
送信先の情報通信端末ごとに、あるいは所定のグループごとに利用が禁止される呼び出し音が設定された利用禁止呼び出し音データベースは、例えば以下のようにして更新される。図１８は、中継サーバ上に設けられた複数の利用禁止呼び出し音データベースに対して、利用禁止呼び出し音を追加する処理を示す図である。
【０１１９】
利用者は、送信側の情報通信端末１の利用禁止呼び出し音情報生成部８０１に、利用禁止呼び出し音を追加する利用禁止呼び出し音データベース名と利用禁止呼び出し音とを入力する。入力は、表２のように行う。
【表２】
2005303634.tif 000004
【０１２０】
この利用禁止呼び出し音データベース名と利用禁止呼び出し音情報とは、利用禁止呼び出し音情報送信部８０２から、中継サーバに送信される。
【０１２１】
中継サーバの利用禁止呼び出し音情報受信部８０３は、呼出信号と、利用禁止呼び出し音データベース名と利用禁止呼び出し音情報とを受信する。利用禁止呼び出し音情報抽出部８０４は、利用禁止呼び出し音情報を抽出する。利用禁止呼び出し音情報追加部８０５は、該当する利用禁止呼び出し音データベースを呼び出し、抽出された利用禁止呼び出し音情報を追加登録する。この図の例では、グループ１が選択され、上記表２の「利用禁止呼び出し音」が「利用禁止呼び出し音データベース  グループ１」に追加される。
なお、上記（Ｃ−２）の場合には、利用禁止呼び出し音データベースの更新は、通常サービスの提供者などのシステム管理者が行う。しかし、この追加方法を用いて、利用者が、（Ｃ−２）の場合の利用禁止呼び出し音データベースに、利用禁止呼出音を追加することとしてもよい。
【０１２２】
［実施の形態の変形例］
携帯電話によりメールで情報を伝達することが、現在良く利用されている。しかし、この情報の伝達は、相手がメールを受信したことは確認できるが、受信したメールを読んだかどうかは確認できない。
【０１２３】
本発明の情報通信端末および通信システムでは、受信側に連絡したいことを、呼び出し音情報として送信することができる。したがって、この情報通信端末および通信システムを用いれば、呼び出し音情報を情報通信手段として用いることができる。
【０１２４】
例えば、本発明の情報通信端末を携帯電話として使用する場合に、送信側が、「１０時に○○で待ち合わせ」という呼び出し音情報を送信し、受信側がその呼び出し音の意図を確認することは以下のようにして行う。受信側がその呼び出し音の意図を確認した場合には、通話を切断するボタン（受話ボタンではない呼び出し音を切るボタン）を押すこととし、受信側がその呼び出し音の意図が確認できなかった場合には、その操作を行わないこととする。送信側は、通話を切断するボタンの押下があったか否かにより、受信側が呼び出し音の内容を理解したかどうかを知ることができる。このような構成とすることで、電話を掛けるのと同様に、送信側から受信側への情報の即時伝達が可能となる。同時に、相手がその情報を理解したかどうかの情報を獲得できるだけでなく、電話のように通話コストも不要となる。
【０１２５】
（その他の実施形態）
ところで、上記各実施の形態における情報通信端末あるいは中継サーバとしての機能は、プログラム記録媒体に記録された情報処理プログラムによって実現される。上記各実施の形態における上記プログラム記録媒体は、ＲＡＭ（ランダム・アクセル・メモリ）とは別体に設けられたＲＯＭ（リード・オンリー・メモリ）でなるプログラムメディアである。または、外手段補助記録装置に装着されて読み出されるプログラムメディアであってもよい。尚、何れの場合においても、上記プログラムメディアから情報処理プログラムを読み出すプログラム読み出し手段は、上記プログラムメディアに直接アクセスして読み出す構成を有していてもよいし、ＲＡＭに設けられたプログラム記憶エリアにダウンロードし、上記プログラム記憶エリアにアクセスして読み出す構成を有していてもよい。尚、上記プログラムメディアからＲＡＭの上記プログラム記録エリアにダウンロードするためのダウンロードプログラムは、予め本体装置に格納されているもとする。
【０１２６】
ここで、上記プログラムメディアとは、本体側と分離可能に構成され、磁気テープやカセットテープ等のテープ系、フレキシブルディスク、ハードディクス等の磁気ディスクやＣＤ（コンパクトディスク）−ＲＯＭ、ＭＯ（光磁気）ディスク、ＭＤ(ミニディスク)、ＤＶＤ（デジタル多用途ディスク）等の光ディスクのディスク系、ＩＣ（集積回路）カードや光カード等のカード系、マスクＲＯＭ、ＥＰＲＯＭ（紫外線消去型ＲＯＭ）、ＥＥＰＲＯＭ（電気的消去型ＲＯＭ）、フラッシュＲＯＭ等の半導体メモリ系を含めた、固定的にプログラムを坦持する媒体である。
【０１２７】
また、上記実施の形態における情報通信端末あるいは中継サーバは、モデムを備えてインターネットを含む通信ネットワークと接続可能となっている。この場合、上記プログラムメディアは、通信ネットワークからのダウンロード等によって流動的にプログラムを坦持する媒体であっても差し支えない。尚、その場合における上記通信ネットワークからダウンロードするためのダウンロードプログラムは、予め本体装置に格納されているものとする。あるいは、別の記録媒体からインストールされるものとする。
尚、上記記録媒体に記録されるものはプログラムのみに限定されるものではなく、データも記録することが可能である。
【図面の簡単な説明】
【０１２８】
【図１】図１は、本発明の情報通信端末の概略構成を示すブロック図である。
【図２】図２は、本発明の情報通信端末同士での呼び出し音情報および呼び出し信号の処理を概念的に説明した説明図である。
【図３】図３は、送信元の情報通信端末において入力された呼び出し音情報の内容と、送受信される信号の内容と、受信側情報通信端末において抽出された呼び出し音情報の内容を示す図である。  図３(ａ)は、送信元の情報通信端末において入力された呼び出し音情報の内容を、図３(ｂ)は、送受信される信号の内容を、図３（ｃ）は受信側情報通信端末において抽出された呼び出し音情報の内容を示す図である。
【図４】図４は、本発明の情報通信端末にかかる呼び出し音情報の流れを説明するフローチャートである。
【図５】図５は、音声合成制御記号を用いた呼び出し音信号の一例を示す図である。
【図６】図６は、本発明の情報通信端末において時刻に対応する呼出音情報と、その処理を概念的に説明した図である。
【図７】図７は、時刻と時刻に対応する複数の呼び出し音の音声合成用パラメータを示す図である。
【図８】図８は、本発明の情報通信端末において呼び出し時間に対応する呼出音情報と、その処理を概念的に説明した説明図である。
【図９】図９は、呼び出し時間と呼び出し時間に対応する複数の呼び出し音の音声合成用パラメータとを示す図である。
【図１０】図１０は、本発明の情報通信端末において呼び出し制御許可情報を用いた呼び出し音情報の制御処理を概念的に説明した説明図である。
【図１１】図１１は本発明の情報通信端末において、送信された呼び出し音情報の変更処理を概念的に説明した説明図である。
【図１２】図１２は、変更前の制御記号付き呼び出し信号と変更後の制御記号付き呼び出し信号を示す図である。
【図１３】図１３は、本発明の通信システムの呼び出し音情報および呼び出し信号の処理を概念的に説明した説明図である。
【図１４】図１４は、本発明の通信システムで用いられる中継サーバの概略構成を示すブロック図である。
【図１５】図１５は、本発明の情報通信端末にかかる呼び出し音情報の流れを説明するフローチャートである。
【図１６】図１６は、本発明の通信システムにおいてカテゴリ情報付記呼び出し音情報を用いた呼び出し音情報の変更およびその呼び出し信号の処理を概念的に説明した説明図である。
【図１７】図１７は、本発明の情報通信端末において利用禁止呼び出し音データベースを用いて、呼び出し音情報を一括して制限する呼び出し音情報の制御処理を概念的に説明した説明図である。
【図１８】図１８は、中継サーバ上に設けられた複数の利用禁止呼び出し音データベースに対して、利用禁止呼び出し音を追加する処理を示す図である。
【符号の説明】
【０１２９】
１１    ＣＰＵ
１２    ＲＯＭ
１３    ＲＡＭ
１４    表示デバイス
１５    表示制御回路
１６    通信デバイス
１７    通信制御回路
１８    入力デバイス
１９    入力制御回路
２０    音出力デバイス
２１    音出力制御回路
２２    バス
２３    ＣＰＵ
２４    ＲＯＭ
２５    ＲＡＭ
２６    ハードディスク
２７    通信Ｉ／Ｆ部
２８    バス
１０１Ａ    情報通信端末１
１０２Ａ    中継サーバ
１０３Ａ    情報通信端末２
１０４    呼び出し音情報入力部
１０５    呼び出し信号送信部
１０６、１３４    通信ネットワーク
１２０    呼び出し信号受信部
１２１    呼び出し音情報抽出部
１２２    テキスト音声合成部
１２３    呼び出し音データベース
１２４    呼び出し部
１３０    呼び出し信号受信部
１３１    呼び出し音情報抽出部
１３２    呼び出し音情報変更部
１３３    呼び出し信号送信部
２２０    時刻対応呼び出し音情報抽出部
２２１    時刻計測部
３２０    時間対応呼び出し音情報抽出手段
３２１    時間計測部
４２０    呼び出し制御判断部
４２１    呼び出し制御許可情報付き送信元情報データベース
５２０    呼び出し音情報判断部
５２１    テキスト音声合成制御情報生成部
６２０    カテゴリ対応呼出音選択部
６２１    カテゴリデータベース
６２２    呼び出し音情報生成部
７２０    呼び出し音比較部
７２１    利用禁止呼び出し音データベース
７２２    呼び出し音情報比較部
７２３    削除情報送信部
８０１    利用禁止呼出音情報生成部
８０２    利用禁止呼出音情報送信部
８０３    利用禁止呼出音追加情報受信部
８０４    利用禁止呼出音追加情報抽出部
８０５    利用禁止呼出音情報追加部
８０６    利用禁止呼び出し音データベース  グループ１
８０７    利用禁止呼び出し音データベース  グループ２
【図１】
2005303634.tif 000005
【図２】
2005303634.tif 000006
【図３】
2005303634.tif 000007
【図４】
2005303634.tif 000008
【図５】
2005303634.tif 000009
【図６】
2005303634.tif 000010
【図７】
2005303634.tif 000011
【図８】
2005303634.tif 000012
【図９】
2005303634.tif 000013
【図１０】
2005303634.tif 000014
【図１１】
2005303634.tif 000015
【図１２】
2005303634.tif 000016
【図１３】
2005303634.tif 000017
【図１４】
2005303634.tif 000018
【図１５】
2005303634.tif 000019
【図１６】
2005303634.tif 000020
【図１７】
2005303634.tif 000021
【図１８】
2005303634.tif 000022
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
利用者が音声合成可能な呼び出し音情報を入力する呼び出し音情報入力手段と、
前記呼び出し音情報と送信先情報端末に対する呼び出し先を呼び出す呼び出し信号とを送信する呼び出し信号送信手段と、
送信側端末から発信された呼び出し信号と、送信側端末から発信された呼び出し音情報とを受信する信号受信手段と、
前記受信された呼び出し音情報を抽出する呼び出し音情報抽出手段と、
前記抽出された呼び出し音情報を用いて呼び出し音を音声合成するテキスト音声合成手段と、
前記音声合成された呼び出し音を用いて呼び出しを行う呼び出し手段と
を備える情報通信端末。
【請求項２】
呼び出し信号と、呼び出し音情報とを受信する信号受信手段と、
前記受信された呼び出し音情報を抽出する呼び出し音情報抽出手段と、
前記抽出された呼び出し音情報を用いて呼び出し音を音声合成するテキスト音声合成手段と、
前記音声合成された呼び出し音を用いて呼び出しを行なう呼び出し手段とを備える情報通信端末。
【請求項３】
前記呼び出し音情報は、テキスト音声合成に必要な制御記号で構成され、
前記テキスト音声合成手段は、制御記号を用いて呼び出し音を音声合成することを特徴とする請求項１または２に記載の情報通信端末。
【請求項４】
前記呼び出し音情報は、時刻と時刻に対応する複数の呼び出し音情報とを含み、
前記情報通信端末は、さらに、
受信側が受信情報を獲得した時刻を計測する時刻計測手段と、
時刻と時刻に対応する複数の呼び出し音情報から、計測された時刻に適合する呼び出し音情報を抽出する時刻対応呼び出し音情報抽出手段と、
を備え、
前記テキスト音声合成手段は、計測された時刻に適合する呼び出し音情報を用いて呼び出し音を音声合成することを特徴とする請求項１ないし３のいずれかに記載の情報通信端末。
【請求項５】
前記呼び出し音情報は、呼び出し時間と、呼び出し時間に対応する複数の呼び出し音情報とを含み、
前記情報通信端末は、さらに、
呼び出し時間を計測する呼び出し時間計測手段と、
呼び出し時間と、呼び出し時間に対応する複数の呼び出し音情報から、呼び出し時間に対応する呼び出し音を抽出する呼び出し時間対応呼び出し音情報抽出手段と、
を備え、
前記テキスト音声合成手段は、計測された呼び出し時間に対応する呼び出し音情報を用いて呼び出し音を音声合成することを特徴とする請求項１ないし４のいずれかに記載の情報通信端末。
【請求項６】
計測された呼び出し時間に対応する呼び出し音情報を用いて呼び出しを行う間に、
前記呼び出し時間対応呼び出し音情報抽出手段は、次の呼び出し時間に対応する呼び出し音情報を抽出し、
前記テキスト音声合成手段は、抽出された次の呼び出し時間に対応する呼び出し音情報を用いて呼び出し音を音声合成することを特徴とする請求項５に記載の情報通信端末。
【請求項７】
送信元情報と、送信元情報に対応する呼び出し制御許可情報とを有する呼び出し制御許可情報付送信元情報データベースと、
受信した呼び出し信号から、送信元を検索し、前記検索された送信元の情報通信端末が呼び出し制御許可されているか否かを判断する呼び出し制御判断手段とを備え、
呼び出し制御が許可されている送信元の情報通信端末に対しては、受信した呼び出し信号を用いて、呼び出し音を音声合成し、
呼び出し制御が許可されていない送信元の情報通信端末に対しては、呼び出し信号を用いずに、呼び出しを行うことを特徴とする請求項１ないし６のいずれかに記載の情報通信
端末。
【請求項８】
前記抽出された呼び出し音情報を変更するかどうかの判断をする呼び出し音情報判断手段と、
前記呼び出し音情報を変更すると判断された呼び出し音情報のうち、韻律、ボリューム、発話速度、または音質の少なくとも１つを制御するテキスト音声合成制御情報生成手段を備え、
前記抽出された呼び出し音情報を変更して呼び出し音を音声合成することを特徴とする請求項１ないし７のいずれかに記載の情報通信端末。
【請求項９】
前記テキスト音声合成制御情報設定手段は、韻律、ボリューム、発話速度、または音質の少なくとも１つについて、受信者に許容されるパラメータの上限値および下限値を有し、
前記抽出された呼び出し音情報のうち、前記許容値から外れるパラメータに対して、許容されるパラメータの上限値または下限値にパラメータを変更して呼び出し音を音声合成する、
あるいは、前記抽出された呼び出し音情報のうち、前記許容値から外れるパラメータが少なくとも１つ存在すれば、受信器側のパラメータを用いて、呼び出し音情報を作成することを特徴とする請求項７または８に記載の情報通信端末。
【請求項１０】
コンピュータを、
請求項１ないし９のいずれかに記載の情報通信端末として機能させるためのプログラム。
【請求項１１】
請求項１０に記載のプログラムを記録したコンピュータ読み取り可能な記録媒体。
【請求項１２】
請求項１ないし９のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
前記抽出された呼び出し音情報を変更する呼び出し音情報変更手段と、
前記変更された呼び出し音情報と呼び出し信号とを送信先情報通信端末に送信する信号送信手段と
を備えることを特徴とする通信システム。
【請求項１３】
請求項１ないし９のいずれかに記載の情報通信端末と、中継サーバとを備え、前記情報通信端末間に前記中継サーバを介して情報通信を行う通信システムであって、
前記情報通信端末で入力される呼び出し音情報は、カテゴリ情報が付記されたカテゴリ情報付記呼び出し音情報であり、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
カテゴリの内容を記録するカテゴリデータベースと、
前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、
選択された呼び出し音から呼び出し音情報を生成する呼び出し音情報生成手段と、
前記生成された呼び出し音情報と呼び出し信号とを送信先情報通信端末に送信する信号送信手段と
を備えることを特徴とする通信システム。
【請求項１４】
請求項１ないし９のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
利用が禁止される呼び出し音を予め設定した利用禁止呼び出し音データベースと、
呼び出し音情報と前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備えることを特徴とする通信システム。
【請求項１５】
請求項１ないし９のいずれかに記載の情報通信端末と、中継サーバとを備え、前記情報通信端末間に前記中継サーバを介して情報通信を行う通信システムであって、
前記中継サーバは、
情報通信端末から送信された呼び出し信号と呼び出し音情報とを受信する呼び出し信号受信手段と、
前記受信された呼び出し音情報を抽出する呼び出し音情報抽出手段と、
情報通信端末ごとに利用が禁止される呼び出し音が設定された、あるいは所定のグループごとに利用が禁止される呼び出し音が設定された、複数の利用禁止呼び出し音データベースと、
呼び出し音情報と、送信先情報通信端末に対応する前記利用禁止呼び出し音データベースあるいは所定のグループに対応する前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備えることを特徴とする通信システム。
【請求項１６】
前記通信システムにおいて、
中継サーバは、さらに
呼び出し音情報が削除されたことを、送信元情報通信端末に送信する削除情報送信手段を有することを特徴とする請求項１４または１５に記載の通信システム。
【請求項１７】
情報端末からの受信された呼び出し音情報を変更して前記変更された呼び出し音情報と呼び出し信号とを送信先情報通信端末に送信するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
前記抽出された呼び出し音情報を変更する呼び出し音情報変更手段と、
前記変更された呼び出し音情報と呼び出し信号とを送信先情報通信端末に送信する信号送信手段と
を備える中継サーバとして機能させるためのプログラム。
【請求項１８】
情報端末からの受信されたカテゴリ情報が含まれる呼び出し音情報から適合するカテゴリを選択して、選択されたカテゴリの中から適切な呼び出し情報を生成し、前期生成された呼び出し音情報と呼び出し信号とを送信先情報通信端末に送信するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
カテゴリの内容を記録するカテゴリデータベースと、
前記抽出された呼び出し音情報にカテゴリ情報が含まれていれば、前記カテゴリデータベースからそのカテゴリ情報に適合するカテゴリの中から、適切な呼び出し音を選択するカテゴリ対応呼び出し音選択手段と、
選択された呼び出し音から呼び出し音情報を生成する呼び出し音情報生成手段と、
前記生成された呼び出し音情報と呼び出し信号とを送信先情報通信端末に送信する信号送信手段と
を備える中継サーバとして機能させるためのプログラム。
【請求項１９】
情報端末からの受信された呼び出し情報中に、利用禁止呼び出し音データベースを参照して利用が禁止される、利用禁止呼び出し音情報が含まれるかどうかを判断し、呼び出し音情報が利用禁止呼び出し音と一致する場合には、呼び出し音情報を削除するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
利用が禁止される呼び出し音を予め設定した利用禁止呼び出し音データベースと、
呼び出し音情報と前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備える中継サーバとして機能させるためのプログラム。
【請求項２０】
情報端末からの受信された呼び出し情報中に、送信先の情報通信端末ごとに利用が禁止される呼び出し音が設定された利用禁止呼び出し音データベースを参照して利用が禁止される利用禁止呼び出し音情報が含まれるかどうかを判断し、呼び出し音情報が利用禁止呼び出し音と一致する場合には、呼び出し音情報を削除するサーバを有する通信システムに適用可能なプログラムであって、
コンピュータを、
情報通信端末から送信された呼び出し信号と呼び出し音情報とを受信する呼び出し信号受信手段と、
前記受信された呼び出し音情報を抽出する呼び出し音情報抽出手段と、
情報通信端末ごとに利用が禁止される呼び出し音が設定された、あるいは所定のグループごとに利用が禁止される呼び出し音が設定された、複数の利用禁止呼び出し音データベースと、
呼び出し音情報と、送信先情報通信端末に対応する前記利用禁止呼び出し音データベースあるいは所定のグループに対応する前記利用禁止呼び出し音データベースとを比較する呼び出し音比較手段と、
前記利用禁止呼び出し音データベースの利用禁止呼び出し音と一致する呼び出し音情報について、呼び出し音情報を削除する呼び出し音情報更新手段と、
呼び出し信号を送信先情報通信端末に送信する信号送信手段と
を備える中継サーバとして機能させるためのプログラム。
【請求項２１】
前記プログラムにおいて、
中継サーバは、さらに
呼び出し音情報が削除されたことを、送信元情報通信端末に送信する削除情報送信手段を有することを特徴とする請求項１８または１９に記載のプログラム。
【請求項２２】
請求項１７ないし２１のいずれかに記載のプログラムを記録したコンピュータ読み取り可能な記録媒体。
【手続補正２】
【補正対象書類名】明細書
【補正対象項目名】００１２
【補正方法】変更
【補正の内容】
【００１２】
上記目的を達成するために、本発明の情報通信端末は、（１）利用者が音声合成可能な呼び出し音情報を入力する呼び出し音情報入力手段と、（２）前記呼び出し音情報と送信先情報端末に対する呼び出し先を呼び出す呼び出し信号とを送信する呼び出し信号送信手段と、（３）送信側端末から発信された呼び出し信号と、送信側端末から発信された呼び出し音情報とを受信する信号受信手段と、（４）前記受信された呼び出し音情報を抽出する呼び出し音情報抽出手段と、（５）前記抽出された呼び出し音情報を用いて呼び出し音を音声合成するテキスト音声合成手段と、（６）前記音声合成された呼び出し音を用いて呼び出しを行う呼び出し手段とを備える。